(57)【要約】【課題】動運転と自動運転の切り替えが可能な車両について、ユーザによる手動運転の運転権限を適切に設定することが可能な運転権限管理技術を提供する。【解決手段】運転権限管理サーバ２００は、手動運転と自動運転の切り替えが可能なユーザの車両またはユーザの端末から、運転関連情報を受信する受信部と、受信した運転関連情報に基づいて、運転評価のための解析を行う解析部と、運転関連情報の解析結果に基づき、ユーザによる手動運転の運転権限を設定する権限設定部と、設定した運転権限を車両またはユーザの端末に通知する通知部とを具備する。【選択図】図１
2020126503.tif 000002
【特許請求の範囲】
【請求項１】
手動運転と自動運転の切り替えが可能なユーザの車両または前記ユーザの端末から、運転関連情報を受信する受信部と、
受信した前記運転関連情報に基づいて、運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部と、
を具備する運転権限管理サーバ。
【請求項２】
前記解析部は、
受信した前記運転関連情報とともに、外部から受信する前記ユーザの社会的な信用力をあらわす信用情報に基づいて、運転評価のための解析を行う、請求項１に記載の運転権限管理サーバ。
【請求項３】
前記運転関連情報には、前記車両の走行に関わる車両情報及び前記ユーザの個人情報に関わるユーザ情報が含まれる、請求項１または２に記載の運転権限管理サーバ。
【請求項４】
前記運転評価の評価項目として、運転マナー及び／または運転スキルが含まれる、請求項１から３のいずれか一項に記載の運転権限管理サーバ。
【請求項５】
前記運転関連情報の解析結果に基づき、前記ユーザによる手動運転を支援する運転支援情報を生成する情報生成部と、
生成した前記運転支援情報を前記車両または前記ユーザの端末に送信する送信部と、
をさらに具備する請求項１から４のいずれか一項に記載の運転権限管理サーバ。
【請求項６】
前記情報生成部は、前記解析結果に基づき、前記ユーザの運転傾向を見出し、前記運転傾向に従い、前記ユーザが手動運転する際に留意すべき事項を含む前記運転支援情報を生成する、請求項５に記載の運転権限管理サーバ。
【請求項７】
コンピュータを、
手動運転と自動運転の切り替えが可能なユーザの車両または前記ユーザの端末から、運転関連情報を受信する受信部と、
受信した前記運転関連情報に基づいて、運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部と、
して機能させるための運転権限管理プログラム。
【発明の詳細な説明】
【技術分野】
【０００１】
本発明は、ユーザの運転権限を管理するための技術に関する。
【背景技術】
【０００２】
ユーザが操作せずとも自動で走行できる自動運転機能を備えた車両が急速に普及しつつある。特許文献１には、ドライバー（ユーザ）による手動運転と車両に搭載されたコンピュータによる自動運転とを切替可能な自動運転装置が記載されている。かかる自動運転装置によれば、自動運転中にユーザがステアリングホイールを操作したことがセンサにより検出されると、自動運転から手動運転に切り替えられる。一方、手動運転中にユーザがステアリングホイールから手を放したことがセンサにより検出されると、手動運転から自動運転に切り替えられる。
【先行技術文献】
【特許文献】
【０００３】
【特許文献１】米国特許第８６７０８９１号
【発明の概要】
【発明が解決しようとする課題】
【０００４】
自動運転技術の開発がさらに進むと、ユーザによる手動運転にとって代わり、コンピュータによる自動運転が主流になると考えられる。このような場合に、ユーザによる手動運転をどこまで許容するか、言い換えれば、ユーザによる手動運転の権限設定が自動運転社会のキーファクターになると考えらえるが、かかる課題について何ら取り組みが行われていないのが現状である。
【０００５】
本発明は、以上説明した事情を鑑みてなされたものであり、手動運転と自動運転の切り替えが可能な車両について、ユーザによる手動運転の運転権限を適切に設定することが可能な運転権限管理技術を提供することを目的の一つとする。
【課題を解決するための手段】
【０００６】
本発明の一実施形態に係る運転権限管理サーバは、手動運転と自動運転の切り替えが可能なユーザの車両またはユーザの端末から、運転関連情報を受信する受信部と、受信した運転関連情報に基づいて、運転評価のための解析を行う解析部と、運転関連情報の解析結果に基づき、ユーザによる手動運転の運転権限を設定する権限設定部と、設定した運転権限を車両またはユーザの端末に通知する通知部とを具備することを要旨とする。
【０００７】
本発明の他の形態に係る運転権限管理プログラムは、コンピュータを、手動運転と自動運転の切り替えが可能なユーザの車両またはユーザの端末から、運転関連情報を受信する受信部と、受信した運転関連情報に基づいて、運転評価のための解析を行う解析部と、運転関連情報の解析結果に基づき、ユーザによる手動運転の運転権限を設定する権限設定部と、設定した運転権限を車両またはユーザの端末に通知する通知部として機能させることを要旨とする。
【発明の効果】
【０００８】
本発明によれば、手動運転と自動運転の切り替えが可能な車両について、ユーザによる手動運転の運転権限を適切に設定することが可能となる。
【図面の簡単な説明】
【０００９】
【図１】本実施形態に係る情報制御システムの概略構成を示す図である。
【図２】本実施形態に係る車両の機能構成を示すブロック図である。
【図３】本実施形態に係る運転権限管理サーバの機能構成を示すブロック図である。
【図４】運転関連情報テーブルを例示した図である。
【図５】解析結果をあらわす運転評価に関わるレーダーチャートを例示した図である。
【図６】運転権限のレベルとその内容を例示した運転権限一覧を示す図である。
【図７】運転権限の設定動作を示すフローチャートである。
【図８】変形例１に係る運転権限管理サーバの機能構成を示すブロック図である。
【図９】変形例２に係る運転権限管理サーバの機能構成を示すブロック図である。
【発明を実施するための形態】
【００１０】
以下、本発明の実施形態について図面を参照しつつ詳細に説明する。なお、以下の説明において同一の要素には同一の符号を付し、重複する説明を省略する。
【００１１】
Ａ．本実施形態
Ａ−１．構成
図１は、本実施形態に係る情報制御システム１０００の概略構成を示す図である。図１に示す情報制御システム１０００は、ユーザによる手動運転と自動運転の切り替えが可能な車両１００と、各車両１００からアップロード（送信）される車両情報を解析し、解析結果に基づいてユーザによる手動運転の運転権限を設定する運転権限管理サーバ２００とを備えて構成される。
【００１２】
各車両１００及び運転権限管理サーバ２００は、それぞれ通信ネットワークＮを介して相互通信可能となっている。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００１３】
本願において「自動運転」とは、例えば、ユーザ（ドライバー）が主体的に運転操作をすることなく、自動で車両を走行させる運転状態を意味する。典型的には、予め設定された目的地に向かって自動で車両を走行させる運転状態が挙げられる。
【００１４】
なお、自動運転には、車線維持支援制御や蛇行制御等が含まれる。ここで、車線維持支援制御とは、例えば、車両が走行車線から逸脱しないように自動で車両の操舵を行う制御をいい、航行制御とは、例えば、車両の前方に先行車が存在しない場合は予め設定された設定速度で車両を定速走行させる定速制御を行う一方、車両の前方に先行車が存在する場合には先行車との車間距離に応じて車両の車速を調整する追従制御を行う制御をいう。
【００１５】
本願において「手動運転」とは、例えば、ユーザの運転操作を主体として車両を走行させる運転状態を意味する。典型的には、ユーザの運転操作のみに基づいて車両を走行させる運転状態が挙げられる。なお、手動運転には、ユーザの運転操作を主体としながら、ユーザの運転操作を支援する運転操作支援制御が行なわれる運転状態も含まれる。手動運転時に運転操作支援制御が行われる場合とは、例えば、ユーザが車両の操舵、アクセル操作及びブレーキ操作のいずれかを主体的に行う一方、車両が補助的に（具体的には、ユーザによる主体的な運転操作が行われなかった場合に）、操舵制御、エンジン制御及びブレーキ制御のいずれかを行う態様が含まれる。
【００１６】
[車両１００]
図２は、車両１００の機能構成を示すブロック図である。
車両１００は、自動車などであり、制御ユニット１１０、通信ユニット１２０、記憶ユニット１３０、情報生成ユニット１４０、入力ユニット１５０を備えている。
【００１７】
制御ユニット１１０は、ＣＰＵ、ＲＯＭ、ＲＡＭなどを主要構成部品とするＭＣＵ（Micro Control Unit）などを備えており、ＲＯＭやＲＡＭに格納された各種プログラム等を実行することにより、車両１００の各部を統括的に制御する。
【００１８】
通信ユニット１２０は、様々な通信規格に準拠した通信インタフェースを備え、通信ネットワークＮを介して、運転権限管理サーバ２００やユーザが所持する携帯端末（図示略）など外部機器との間でデータの授受を行う。携帯端末としては、スマートフォン、携帯電話機、携帯情報端末（ＰＤＡ）のほか、タブレット端末や、パーソナルコンピュータ（ＰＣ）、ノートＰＣなどが挙げられる。
【００１９】
記憶ユニット１３０は、ハードディスクや半導体メモリ等の記録媒体及び記録媒体のドライブ装置を含んで構成される。記憶ユニット１３０には、制御ユニット１１０が車両１００を統括的に制御するにあたって必要なプログラムやデータなどが、更新可能に記憶される。一例を挙げると、記憶ユニット１３０には、自動運転を行うためのプログラムや、自動運転と手動運転を切り替えるための制御プログラム、さらには、情報生成ユニット１４０によって生成される運転関連情報（後述）が記憶される。
【００２０】
情報生成ユニット１４０は、制御ユニット１１０による制御のもと、車両１００の運転に関わる様々な情報（すなわち、運転関連情報）を生成する。情報生成ユニット１４０は、車両情報生成部１４１、運転環境情報生成部１４２、ユーザ情報生成部１４３を備えている。
【００２１】
車両情報生成部１４１は、車両１００の走行に関わる車両情報を生成するものである。車両情報には、例えば速度・加速度情報、車体アシスト情報、車線情報、車間距離情報、燃料情報、同乗者情報、整備履歴情報、走行動画情報などが含まれる。速度・加速度情報は、例えば車速センサや加速度センサ（いずれも図示略）などから得られる情報に基づいて生成される。車体アシスト情報は、例えば先行車との車間距離や速度に応じて生成されるペダル操作のアシスト信号に基づいて生成される。車線情報は、例えば車載カメラ（図示略）によって取得される道路の動画像に基づいて生成される。車間距離情報は、例えば車載レーダ（図示略）によって検出される先行車との距離をあらわす情報に基づいて生成される。燃料情報は、例えば燃料センサ（図示略）によって検出される燃料の残量や燃費に関する情報に基づいて生成される。整備履歴情報は、記憶ユニット１３０に記憶されている定期点検に関する情報に基づいて生成される。走行動画情報は、車載カメラ（図示略）によって取得される車外または車内の状況をあらわす動画像に基づいて生成される。
【００２２】
運転環境情報生成部１４２は、車両１００の運転環境に関わる運転環境情報を生成するものである。運転環境情報には、例えば、交通渋滞情報、走行ルート情報、天候情報、駐車場情報などが含まれる。交通渋滞情報や天候情報、駐車場情報は、例えば車載ナビゲーション装置（図示略）が、ＶＩＣＳ（Vehicle Information Communication System；登録商標）から配信される道路交通情報、天気情報、駐車場の空き状況を表す情報などに基づいて生成される。走行ルート情報は、例えば車載ナビゲーション装置が、ＧＰＳ（Global Positioning System）の衛星から発信される情報に基づいて生成される。
【００２３】
ユーザ情報生成部１４３は、ユーザの個人情報に関わるユーザ情報を生成するものである。ユーザ情報には、ユーザ基本情報、運転経験情報、運動能力・健康情報、ＩＴリテラシー情報などが含まれる。ユーザ基本情報は、例えばユーザの携帯端末から取得されるユーザＩＤ、ユーザの氏名、性別、年齢、住所、連絡先、勤務先などに基づいて生成される。運転経験情報は、例えば車両１００の車載センサによって取得される当該ユーザの総運転時間、総運転距離などに基づいて生成される。運動能力・健康情報は、例えばユーザの携帯端末から取得される当該ユーザの健康状態をあらわす情報（血圧、体温、心拍数など）や、運動能力の診断結果をあらわす身体能力データなどに基づいて生成される。ＩＴリテラシー情報は、例えばユーザの携帯端末から取得されるＩＴリテラシーチェックテストの結果などに基づいて生成される。なお、各ユーザは、情報制御システム１０００を初めて利用する際、ユーザ基本情報などを運転権限管理サーバ２００に初期登録するための操作を行う。
【００２４】
情報生成ユニット１４０は、車両情報、運転環境情報、ユーザ情報を含む運転関連情報を生成すると、生成した運転関連情報を運転権限管理サーバ２００に送信する。なお、運転関連情報は、所定の時間間隔（例えば毎日１０：００など）で送信する、あるいは所定条件を満たした場合（例えば、ユーザ情報に変化があった場合など）に送信すればよい。もっとも、運転関連情報の送信タイミングは、任意に設定・変更可能である。
【００２５】
入力ユニット１５０は、操作キー、操作ボタン、タッチセンサなどの操作子やマイクロホンなどを備えて構成される。
【００２６】
[運転権限管理サーバ２００]
運転権限管理サーバ２００は、例えば、演算処理能力の高いコンピュータによって構成され、各車両１００からアップロードされる運転関連情報を蓄積・管理する機能、運転関連情報を解析する機能、さらには、運転関連情報の解析結果に基づいて、各ユーザに手動運転の運転権限を設定する機能などを備えている。ここで、運転権限管理サーバ２００を構成するコンピュータは、必ずしも１台である必要はなく、通信ネットワークＮ上に分散する複数のコンピュータから構成されてもよい。
【００２７】
図３は、運転権限管理サーバ２００の機能構成を示すブロック図である。
運転権限管理サーバ２００は、制御部２１０と、通信部２２０と、情報管理部２３０と、情報解析部２４０と、運転権限設定部２５０とを備えて構成される。
制御部２１０は、算術演算、論理演算、ビット演算等を処理する算術論理演算ユニット（ＣＰＵなど）やＲＯＭやＲＡＭなどの記憶手段を備えて構成され、ＲＯＭ等の記憶手段に格納されている各種プログラムを実行することで運転権限管理サーバ２００の各部を中枢的に制御する。
【００２８】
通信部（受信部、通知部、送信部）２２０は、様々な通信規格に準拠した通信インタフェースを備え、通信ネットワークＮを介して、ユーザの車両１００またはユーザの携帯端末からアップロードされる運転関連情報を受信する一方、運転権限設定部２５０において設定された各ユーザの運転権限を、当該ユーザの車両１００または当該ユーザの携帯端末に通知する。なお、通信部２２０は、各車両１００等を含む外部機器との間で様々な情報の授受を行う。
【００２９】
情報管理部２３０は、各車両１００等からアップロードされる運転関連情報を蓄積・管理する。図４は、情報管理部２３０に格納される運転関連情報テーブルＴＡを例示した図である。
【００３０】
運転関連情報テーブルＴＡには、ユーザごとに、車両情報、運転環境情報、ユーザ情報が対応づけて登録されている。前述したように、各ユーザは、本システムの利用に先立ち、ユーザ基本情報などを運転権限管理サーバ２００に初期登録を行う。初期登録が行われた後、各車両１００等から運転関連情報を受信すると、情報管理部２３０は、運転関連情報に含まれるユーザＩＤを検索キーとして運転関連情報テーブルＴＡを検索することで、ユーザを一意に特定する。そして、情報管理部２３０は、運転関連情報テーブルＴＡに登録されているユーザの運転関連情報を更新する。
【００３１】
情報解析部（解析部）２４０は、各ユーザの手動運転の運転権限を設定するべく、情報管理部２３０に蓄積された各ユーザの運転関連情報を解析する。情報解析部２４０は、解析結果を運転権限設定部２５０に送る。
【００３２】
図５は、解析結果をあらわす運転評価に関わるレーダーチャートＲＣを例示した図である。
レーダーチャートＲＣには、運転マナーＩ１、運転スキルＩ２、運転経験Ｉ３、身体状態Ｉ４、運転適性Ｉ５などの項目が設定されている。情報解析部２４０は、運転関連情報をもとに、運転マナーＩ１、運転スキルＩ２、運転経験Ｉ３、身体状態Ｉ４、運転適性Ｉ５などの各項目の評価値を決定し、レーダーチャートＲＣの該当箇所にプロットしていく。
【００３３】
詳述すると、情報解析部２４０は、例えば運転速度や違法運転の有無などの情報をもとに、運転マナーＩ１の評価値を決定し、レーダーチャートＲＣにプロットする。同様に、情報解析部２４０は、例えば急加速や急発進の有無、駐車時や悪路を通る際の運転などの情報をもとに、運転スキルＩ２の評価値を決定する一方、総運転時間やこれまでの走行ルートなどの情報をもとに、運転経験Ｉ３の評価値を決定する。さらに、情報解析部２４０は、血圧や心拍数などを表す情報や身体能力データなどをもとに、身体状態Ｉ４の評価値を決定する一方、適性検査の検査結果や走行時の心拍数や血圧の変化をあらわす情報などをもとに、運転適性Ｉ５の評価値を決定する。なお、運転評価に関わる項目の種類や数は、上述したものに限る趣旨ではなく、任意に設定・変更可能である。
【００３４】
運転権限設定部（権限設定部）２５０は、情報解析部２４０から受け取る解析結果をもとに、各ユーザの手動運転の運転権限を設定し、設定した運転権限を通信部２２０に送る。
図６は、設定される運転権限のレベル（権限レベル）とその内容を例示した運転権限一覧Ｌを示す。
図６に示すように、運転権限としてＮ種類（Ｎ≧２）の権限レベルが設定可能となっている。一例を挙げて説明すると、例えば、権限レベルが「１」に設定された場合には、「時速６０ｋｍ未満、アスファルト道路のみ、上り勾配は５％未満でのみ手動運転可能」といった運転制限がユーザに課されることになる。なお、運転権限設定部２５０は、上述したレーダーチャートＲＣの各項目の評価値を機械学習するなどして、最適な権限レベルを選択し、当該ユーザに設定する。ここで、権限レベルの数や、権限内容については、適宜設定・変更可能である。権限レベルを設定する代わりに、ユーザごとにオリジナルの運転権限を設定してもよい。
【００３５】
以下、運転権限管理サーバ２００による運転権限の設定動作について、詳細に説明する。
【００３６】
Ａ−２．動作
図７は、運転権限管理サーバ２００によって運転権限の設定動作を示すフローチャートである。なお、以下の説明では、各ユーザがユーザ基本情報などを運転権限管理サーバ２００に初期登録しているものとする。
【００３７】
ステップＳ１において、運転権限管理サーバ２００の通信部２２０は、通信ネットワークＮを介して各車両１００等からアップロードされる各ユーザの運転関連情報を受信する。
【００３８】
ステップＳ２において、運転権限管理サーバ２００の情報管理部２３０は、受信した各ユーザの運転関連情報に基づき、運転関連情報テーブルＴＡの登録内容を更新する。
【００３９】
ステップＳ３において、運転権限管理サーバ２００の情報解析部２４０は、各ユーザの手動運転の運転権限を設定するべく、情報管理部２３０に蓄積された各ユーザの運転関連情報を解析する。そして、情報解析部２４０は、図４に示すような運転評価に関わるレーダーチャートＲＣを含む解析結果を、運転権限設定部２５０に送る。
【００４０】
ステップＳ４において、運転権限管理サーバ２００の運転権限設定部２５０は、情報解析部２４０から受け取る解析結果をもとに、各ユーザの手動運転の運転権限を設定する。そして、運転権限設定部２５０は、設定した運転権限を通信部２２に送る。
【００４１】
ステップＳ５において、運転権限管理サーバ２００の通信部２２０は、運転権限が設定された各ユーザを特定のうえ、各ユーザの車両１００または当該ユーザの携帯端末に対し、設定された運転権限を通知し、処理を終了する。なお、運転権限の通知に関し、運転権限に変更（例えば、権限レベルが「１」から「３」に変更など）のあったユーザに対してのみ、設定された運転権限を通知してもよい。また、通知タイミングの頻度や回数などは、任意に設定・変更可能である。
【００４２】
以上説明したように、本実施形態によれば、運転権限管理サーバ２００は、各ユーザの車両１００からアップロードされる運転関連情報を解析し、解析結果に基づいて各ユーザの手動運転の運転権限を設定する。解析結果には、図４に示すようなユーザの運転マナー、運転スキル、運転経験、身体状態の各項目の評価値がプロットされたレーダーチャートＲＣが含まれるため、運転権限管理サーバ２００は、これらの評価値を考慮した適切な運転権限を設定することが可能となる。
【００４３】
例えばハイブランドのＯＥＭ（Original Equipment Manufacturer）メーカーやリース会社は、ユーザに対して車両販売や車両リース、ＭａａＳ（Mobility as a Service）などを提供する際に、上述した情報制御システム１００を利用して各ユーザに適切な運転権限を設定することで、自社のブランド価値を毀損するようなユーザの行為（あおり運転や交通ルール違反など）を抑制することが可能となる。また、ユーザにおいては、自身に付与される運転権限の範囲が広げられるように、手動運転の際には模範的な振る舞い（例えば、割り込みをしないなど）を行うようになる。このような行為が社会的に認知されることで、ＯＥＭメーカーやリース会社の社会的ブランド価値は向上し、ひいては会社全体の成長を助長することが可能となる。
【００４４】
Ｂ．変形例
＜変形例１＞
図８は、変形例１に係る運転権限管理サーバ２００ａの機能構成を示すブロック図である。図８に示す運転権限管理サーバ２００ａは、図３に示す運転権限管理サーバ２００に、運転支援情報生成部２６０を設けたものである。その他の構成は、図３と同様であるため、対応する部分には同一符号を付し、詳細な説明は割愛する。
運転支援情報生成部（情報生成部）２６０は、情報解析部２４０から供給される解析結果に基づき、ユーザによる手動運転を支援するための運転支援情報を生成する。
運転支援情報生成部２６０は、まず、供給される解析結果に基づき、ユーザの運転傾向を見出す。そして、運転支援情報生成部２６０は、見出した運転傾向に従い、ユーザが手動運転する際に留意すべき事項を含む運転支援情報を生成する。
【００４５】
一例を挙げて説明すると、運転支援情報生成部２６０は、ブレーキペダルの踏み込むタイミングや強さ等から、「状況判断に遅れが生じがちである」といった運転傾向を見出すと、手動運転の際に、ユーザが適切なタイミングでブレーキが踏み込めるような運転支援情報（例えば、音声アシストメッセージなど）を生成し、通信部２２０に送る。通信部２２０は、運転支援情報生成部２６０によって生成された運転支援情報を、当該ユーザの車両１００または当該ユーザの携帯端末に送信する。
【００４６】
なお、運転支援情報は、ユーザの手動運転を直接的にアシストするものではなく、間接的にアシストするものであってもよい。例えば、状況判断に遅れがちなユーザについては、自動運転中であっても、次回以降、ユーザが手動運転する際に留意すべき事項を、音声にてサポートするような運転支援情報（例えば、「まもなく急カーブに差し掛かります。このタイミングでブレーキペダル、ハンドル操作を行ってください…」）を生成し、当該ユーザの車両１００または当該ユーザの携帯端末に送信してもよい。
【００４７】
かかる構成によれば、ユーザの運転特性を見極め、当該ユーザに最適な運転支援を行うことができため、ユーザの運転スキルや運転マナー等を向上させることが可能となる。
【００４８】
＜変形例２＞
図９は、変形例２に係る運転権限管理サーバ２００ｂの機能構成を示すブロック図である。図９に示す運転権限管理サーバ２００ｂは、図３に示す運転権限管理サーバ２００の情報管理部２３０に、個人信用情報テーブルＴＢを設けたものである。その他の構成は、図３と同様であるため、対応する部分には同一符号を付し、詳細な説明は割愛する。
個人信用情報テーブルＴＢには、各ユーザの信用情報などが登録されている。信用情報には、各ユーザの属性情報（すなわち、ユーザＩＤ、ユーザの氏名、性別、年齢、住所、連絡先、勤務先、勤続年数、年収、住宅情報など）のほか、既存のクレジットカードやローンの契約内容、商品名や支払い回数などをあらわす契約情報、融資枠や、過去の入金履歴、遅滞の有無、支払状況などをあらわす行動与信情報が含まれる。信用情報は、例えば外部の信用情報機関から送信され、通信部２２０によって受信される。情報解析部２４０は、情報管理部２３０に蓄積された各ユーザの運転関連情報及び各ユーザの信用情報を解析し、解析結果を運転権限設定部２５０に送る。運転権限設定部２５０は、各ユーザの運転関連情報だけでなく、各ユーザの社会的な信用力をあらわす信用情報（すなわち、ユーザの運転マナーや運転内容に影響を及ぼすと考えられる一つの指標）を加味して、運転権限を設定する。これにより、社会的信用という客観的な指標が考慮された、より適切な運転権限の設定が可能となる。
【００４９】
Ｃ．その他
本発明は、上述した本実施形態及び変形例に限定されるものではなく、本発明の要旨を逸脱しない範囲内において、他の様々な形で実施することができる。このため、上記実施形態及び変形例はあらゆる点で単なる例示にすぎず、限定的に解釈されるものではない。例えば、上述した各処理ステップは処理内容に矛盾を生じない範囲で任意に順番を変更し、または並列に実行することができる。
【００５０】
また、本明細書において、「ユニット」や「部」とは、単に物理的構成を意味するものではなく、その「ユニット」や「部」が実行する処理をソフトウェアによって実現する場合も含む。また、１つの「ユニット」や「部」が実行する処理を２つ以上の物理的構成や装置により実現されても、２つ以上の「ユニット」や「部」が実行する処理を１つの物理的手段や装置により実現されてもよい。また、上述した本実施形態及び変形例では、車両１００として自動車を例示したが、自動二輪車や電車など、車輪がついているあらゆる乗り物に適用可能である。
【００５１】
本明細書において説明した各処理を実施するプログラムは、記録媒体に記憶させてもよい。この記録媒体を用いれば、運転権限管理サーバ２００を構成するコンピュータに、上記プログラムをインストールすることができる。ここで、上記プログラムを記憶した記録媒体は、非一過性の記録媒体であっても良い。非一過性の記録媒体は特に限定されないが、例えば、ＣＤ−ＲＯＭ等の記録媒体であっても良い。
【符号の説明】
【００５２】
１０００…情報制御システム、１００…車両、１１０…制御ユニット、１２０…通信ユニット、１３０…記憶ユニット、１４０…情報生成ユニット、１４１…車両情報生成部、１４２…運転環境情報生成部、１４３…ユーザ情報生成部、１５０…入力ユニット、２００，２００ａ…運転権限管理サーバ、２１０…制御部、２２０…通信部、２３０…情報管理部、２４０…情報解析部、２５０…運転権限設定部、２６０…運転支援情報生成部、ＴＡ…運転関連情報テーブル、ＲＣ…レーダーチャート、Ｌ…運転権限一覧
【図１】
2020126503.tif 000003
【図２】
2020126503.tif 000004
【図３】
2020126503.tif 000005
【図４】
2020126503.tif 000006
【図５】
2020126503.tif 000007
【図６】
2020126503.tif 000008
【図７】
2020126503.tif 000009
【図８】
2020126503.tif 000010
【図９】
2020126503.tif 000011
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
手動運転と自動運転の切り替えが可能なユーザの車両または前記ユーザの端末から、運転関連情報を受信する受信部と、
受信した前記運転関連情報に基づいて、手動運転時にユーザが運転した際の運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部とを具備し、
前記解析部は、
受信した前記運転関連情報とともに、外部から受信する前記ユーザの社会的な信用力をあらわす行動与信情報に基づいて、運転評価のための解析を行う、運転権限管理サーバ。
【請求項２】
前記運転関連情報には、前記車両の走行に関わる車両情報及び前記ユーザの個人情報に関わるユーザ情報が含まれる、請求項１に記載の運転権限管理サーバ。
【請求項３】
前記運転評価の評価項目として、運転マナー及び／または運転スキルが含まれる、請求項１または２に記載の運転権限管理サーバ。
【請求項４】
前記運転関連情報の解析結果に基づき、前記ユーザによる手動運転を支援する運転支援情報を生成する情報生成部と、
生成した前記運転支援情報を前記車両または前記ユーザの端末に送信する送信部と、
をさらに具備する請求項１から３のいずれか一項に記載の運転権限管理サーバ。
【請求項５】
前記情報生成部は、前記解析結果に基づき、前記ユーザの運転傾向を見出し、前記運転傾向に従い、前記ユーザが手動運転する際に留意すべき事項を含む前記運転支援情報を生成する、請求項４に記載の運転権限管理サーバ。
【請求項６】
コンピュータを、
手動運転と自動運転の切り替えが可能なユーザの車両または前記ユーザの端末から、運転関連情報を受信する受信部と、
受信した前記運転関連情報に基づいて、手動運転時にユーザが運転した際の運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部として機能させるためのプログラムであり、
前記解析部は、
受信した前記運転関連情報とともに、外部から受信する前記ユーザの社会的な信用力をあらわす行動与信情報に基づいて、運転評価のための解析を行う、運転権限管理プログラム。
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
手動運転と自動運転の切り替えが可能なユーザの車両または前記ユーザの端末から、運転関連情報を受信する受信部と、
受信した前記運転関連情報に基づいて、手動運転時にユーザが運転した際の運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部と、
前記運転関連情報の解析結果に基づき、前記ユーザによる手動運転を支援する運転支援情報を生成する情報生成部と、
生成した前記運転支援情報を前記車両または前記ユーザの端末に送信する送信部とを具備し、
前記情報生成部は、前記解析結果に基づき、前記ユーザの運転傾向を見出し、前記運転傾向に従い、自動運転中に前記ユーザの車両に送信する情報であって、前記ユーザが、次回以降、手動運転する際に留意すべき事項を含む前記運転支援情報を生成する、運転権限管理サーバ。
【請求項２】
前記運転関連情報には、前記車両の走行に関わる車両情報及び前記ユーザの個人情報に関わるユーザ情報が含まれる、請求項１に記載の運転権限管理サーバ。
【請求項３】
前記運転評価の評価項目として、運転マナー及び／または運転スキルが含まれる、請求項１または２に記載の運転権限管理サーバ。
【請求項４】
コンピュータを、
手動運転と自動運転の切り替えが可能なユーザの車両または前記ユーザの端末から、運転関連情報を受信する受信部と、
受信した前記運転関連情報に基づいて、手動運転時にユーザが運転した際の運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部と、
前記運転関連情報の解析結果に基づき、前記ユーザによる手動運転を支援する運転支援情報を生成する情報生成部と、
生成した前記運転支援情報を前記車両または前記ユーザの端末に送信する送信部として機能させるためのプログラムであり、
前記情報生成部は、前記解析結果に基づき、前記ユーザの運転傾向を見出し、前記運転傾向に従い、自動運転中に前記ユーザの車両に送信する情報であって、前記ユーザが、次回以降、手動運転する際に留意すべき事項を含む前記運転支援情報を生成する、運転権限管理プログラム。
【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
手動運転と自動運転の切り替えが可能なユーザの車両または前記ユーザの端末から、運転関連情報を受信する受信部と、
受信した前記運転関連情報に基づいて、手動運転時にユーザが運転した際の運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部と、
前記運転関連情報の解析結果に基づき、前記ユーザによる手動運転を支援する運転支援情報を生成する情報生成部と、
生成した前記運転支援情報を前記車両または前記ユーザの端末に送信する送信部とを具備し、
前記情報生成部は、前記解析結果に基づき、前記ユーザの運転傾向を見出し、前記運転傾向に従い、自動運転中に前記ユーザの車両に送信する情報であって、前記ユーザが、次回以降、自動運転が行われた経路で手動運転する際に留意すべき事項を含む前記運転支援情報を生成する、運転権限管理サーバ。
【請求項２】
前記運転関連情報には、前記車両の走行に関わる車両情報及び前記ユーザの個人情報に関わるユーザ情報が含まれる、請求項１に記載の運転権限管理サーバ。
【請求項３】
前記運転評価の評価項目として、運転マナー及び／または運転スキルが含まれる、請求項１または２に記載の運転権限管理サーバ。
【請求項４】
コンピュータを、
手動運転と自動運転の切り替えが可能なユーザの車両または前記ユーザの端末から、運転関連情報を受信する受信部と、
受信した前記運転関連情報に基づいて、手動運転時にユーザが運転した際の運転評価のための解析を行う解析部と、
前記運転関連情報の解析結果に基づき、前記ユーザによる手動運転の運転権限を設定する権限設定部と、
設定した前記運転権限を前記車両または前記ユーザの端末に通知する通知部と、
前記運転関連情報の解析結果に基づき、前記ユーザによる手動運転を支援する運転支援情報を生成する情報生成部と、
生成した前記運転支援情報を前記車両または前記ユーザの端末に送信する送信部として機能させるためのプログラムであり、
前記情報生成部は、前記解析結果に基づき、前記ユーザの運転傾向を見出し、前記運転傾向に従い、自動運転中に前記ユーザの車両に送信する情報であって、前記ユーザが、次回以降、自動運転が行われた経路で手動運転する際に留意すべき事項を含む前記運転支援情報を生成する、運転権限管理プログラム。